(57)【特許請求の範囲】
【請求項１】
ソーラーセルの表側に設けられたソーラー時計用表示板構造において、
光が透過する透明基板と、
この透明基板の表側に接着層を介して設けられて光が透過する装飾板とを備え、
光拡散剤が接着層に混入され、
かつ装飾板が天然貝を薄板状に加工して形成されたソーラー時計用表示板構造。
【請求項２】
請求項１に記載のソーラー時計用表示板構造であって、
天然貝が、白蝶貝、あるいは、あわびから成るソーラー時計用表示板構造。
【請求項３】
請求項１に記載のソーラー時計用表示板構造であって、
透明基板に顔料、または染料が混入されて、透明基板が有色にされたソーラー時計用表示板構造。
【発明の詳細な説明】
【０００１】
【発明の属する技術分野】
本発明は、光をエネルギーとして使用する太陽電池を時計文字盤に用いたソーラー時計表示板構造に関するものである。
【０００２】
【従来の技術】
従来から時計、電卓、携帯ラジオなどの電源として太陽電池が用いられている。この太陽電池は、通常アモルファスシリコンなどから形成され、光エネルギーを電気エネルギーに変換しており、その機能から光があたる位置、すなわち外部から直接見える表面位置に配設する必要がある。
【０００３】
そして、図９、図１０に示すように腕時計の表示板構造に前記太陽電池を用いた場合には、腕時計のモジュール３１の上面に平面視で扇形のソーラーセル３２を４枚、絶縁帯３３を挟んで配置し、このソーラーセル３２の上に透明なポリカーボネートもしくはアクリル樹脂の透明板３４を介して半透明なオーバーコート３５を積層した構成である。
【０００４】
しかしながら、上記にようなソーラー時計表示板構造にあっては、ソーラーセル３２が通常茶褐色または暗青色であるため、表示板が前記色となり、また、ソーラーセル３２とソーラーセル３２との間に絶縁帯３３があるために、この絶縁帯３３が十字線として現れ、色調を含めたデザインが大幅に限定されるばかりか、商品性の悪いものになっていた。
【０００５】
これに対し、太陽電池の前面に干渉フィルタなどを設けて、太陽電池が直接見えないようにした時計などが提案されているが、太陽電池への光エネルギー供給に支承を来すという問題及び時計用文字板としての外観品質が悪いという問題があった。
【０００６】
このような問題を解決するために、例えば、特公平５−３８４６４号公報には、太陽電池と、この太陽電池の前面に設けられて太陽電池の発電に寄与する波長域の光を透過するカラーフィルタと、太陽電池とカラーフィルタとの間に設けられてカラーフィルタにより透過した光の一部を透過し、残りを四方に散乱する散乱層とから成るカラー拡散層とを有する色つき太陽電池が開示されている。
【０００７】
そして、散乱層を白色拡散板とする場合には、アクリル製乳白色板、ハーフミラーに艶消しクリヤラッカーを塗布したもの、片面を粗らしたガラスやプラスチックの反対側にアルミニウムなどでミラーを形成したものなどを用いることが示されている。
【０００８】
【発明が解決しようとする課題】
しかしながら、上記従来の技術にあっては、アクリル製乳白色板は、腕時計の表示板として好まれ、かつ高級感を付与できる金属色調を得ることができなかった。また、ハーフミラーに艶消しクリヤラッカーを塗布したものや、片面を粗らしたガラスやプラスチックの反対側にアルミニウムなどでミラーを形成したものについては、膜厚の不均一により透過率がばらつき、色むらが発生するという欠点がある。さらには、上記したいずれの材質も、時計の文字板としての外観品質が劣るという欠点がある。
【０００９】
本発明は、上記の問題点に着目して成されたものであって、その目的とするところは、カラーフィルタ、あるいは散乱層に相当する構成を容易に実現できる高級感のある模様、色調を含めたデザインバリエーションが大幅に拡大されるばかりか、外観品質がよくなって商品性を高めることに寄与するソーラー時計用表示板構造を提供することにある。
【００１０】
【課題を解決するための手段】
上記の目的を達成するために、請求項１の発明に係わるソーラー時計用表示板構造は、「光が透過する透明基板と、この透明基板の表側に接着層を介して設けられて光が透過する装飾板とを備え、光拡散剤が接着層に混入され、かつ装飾板が天然貝を薄板状に加工して形成された」ことを特徴とする。
【００１１】
かかる構成により、接着層によって透明基板の表側に装飾板を固定できると共に、接着層には光拡散剤が混入してあるために、この光拡散剤が入射光を拡散して茶褐色または暗青色のソーラーセル及び絶縁帯の十字線が透けて見えず、また、装飾板によって、高級感のある模様、色調を含めたデザインバリエーションが大幅に拡大されるばかりか、装美感あふれる外観となって商品性の良いものになる。
【００１２】
さらに、装飾板が天然貝、貴石であることにより、天然貝、貴石の独特な高級感のある模様、色調を含めたデザインバリエーションを得ることができて、装美感あふれる外観となって商品性の良いものになる。
【００１３】
また、上記の目的を達成するために、請求項２の発明に係わるソーラー時計用表示板構造は、請求項１記載のソーラー時計用表示板構造において、「天然貝が、白蝶貝、あるいは、あわびから成る」ことを特徴とする。
【００１４】
また、上記の目的を達成するために、請求項３の発明に係わるソーラー時計用表示板構造は、請求項１に記載のソーラー時計用表示板構造において、前記透明基板に顔料を混入して有色にした。
また、本発明は、ソーラーセルの表側に設けられたソーラー時計用表示板構造において、「光が透過する透明基板の表面に拡散面を設けると共に、この透明基板の裏側に装飾面が設けられ、この装飾面に有色の金属蒸着層が形成され、装飾面が、ピアジカット、旭光などの模様である」ことを特徴とする。
また、本発明に係わるソーラー時計用表示板構造は、ソーラーセルの表側に設けられたソーラー時計用表示板構造において、「光が透過する透明基板の表面に拡散面を設けると共に、この透明基板の裏側に装飾面が設けられ、この装飾面に有色の金属蒸着層が形成され、金属蒸着層が、Ｃｒ、Ａｌ、Ｐｔ、Ｎｉ、Ｒｄを蒸着して形成される」ものである。
【００１５】
かかる構成により、透明基板に入射し、透明基板の裏面に形成された有色の金属蒸着層に達した光のうち、この金属蒸着層の色と異なる系統の色の波長の光は、金属蒸着層に吸収される。金属蒸着層の色と同系統の色の波長の光の一部は、金属蒸着層を透過してソーラーセルに達し、ソーラーセルの発電に寄与され、残りは表面に向かって反射される。これは、金属蒸着層が極めて薄い薄膜であるため、一部の光を透過し、残りを反射する作用を成すためである。金属蒸着層によって反射された光は、指向性があり不均一であるが、透明基板の表面に形成された拡散面により、均一に拡散されて、観察者の目に達する。よって観察者には、透明基板の表面全体が、一様に金属蒸着層の色、すなわち金属色に視認される。同時に、有色の金属蒸着層は、透明基板の裏面に設けられた装飾面に形成されているため、観察者には、透明基板を透して装飾面が視認されることとなる。このために、茶褐色または暗青色のソーラーセル及び絶縁帯の十字線が透けて見えず、また、装飾面によって高級感のある模様、色調を含めたデザインバリエーションが大幅に拡大されるばかりか、装美感あふれる外観となって商品性の良いものになる。
【００１６】
また、上記の目的を達成するために、本発明に係わるソーラー時計用表示板構造は、前記透明基板の前記拡散面が、ランダムな微小な凹凸から成り、前記装飾面が、前記拡散面の凹凸より大きい凹凸の模様から成る。
【００１７】
かかる構成により、上記した発明の作用と同様な作用を奏し得る。さらに、装飾面に形成された有色の金属蒸着層によって反射された光は、ランダムな微小な凹凸からなる拡散面によってランダムに拡散されるため、ともすると観察者には、装飾面がぼやけて視認しづらくなるが、装飾面を拡散面により大きい凹凸としたので、観察者には、透明基板を透して装飾面の凹凸模様が確実に視認される。
【００１８】
また、上記の目的を達成するために、本発明に係わるソーラー時計用表示板構造は、上記いずれかに記載のソーラー時計用表示板構造において、前記透明基板に顔料を混入して有色にした。
【００１９】
かかる構成により、上記した発明の作用を奏し得るばかりか、透明基板に混入された顔料が、この透明基板に入射した光を拡散させるために、茶褐色または暗青色のソーラーセル及び絶縁帯の十字線をより見えないようにすることができ、また、装飾板、装飾面によって高級感のある模様、色調を含めたデザインバリエーションが大幅に拡大されるばかりか、装美感あふれる外観となって商品性の良いものになる。
【００２０】
【発明の実施の形態】
以下、本発明の実施の形態を図面を参照して詳述する。
【００２１】
（第１実施例）
図１は本発明に係わるソーラー時計用表示板構造（第１実施例）を備えた腕時計の縦断面図、図２は本発明に係わるソーラー時計用表示板構造（第１実施例）の構成説明図、図３は同ソーラー時計用表示板構造の平面図、図４は同ソーラー時計用表示板構造における入、出射光の説明図である。
【００２２】
腕時計１は、図１に示すように外胴２の内部に合成樹脂から成る支持枠３を介してモジュール４を設け、このモジュール４の表側にソーラー時計用表示板構造Ａを構成し、モジュール４に設けられた二重軸構成の針軸５を前記時計文字盤構造Ａに中央の孔部Ａ１を貫通させて、この針軸５の外軸５ａに時針６を、内軸５ｂに分針７をそれぞれ取り付け、前記外胴２の底側に防水パッキン８を介して裏蓋９を装着し、外胴２の表側に風防ガラス１０を装着して大略構成されている。
【００２３】
そして、前記ソーラー時計用表示板構造Ａは、図２に示すように前記モジュール４の表側に固着されたソーラーセル１１と、このソーラーセル１１の表側に設けられた透明基板１２と、この透明基板１２の表側に接着層１３を介して設けられた装飾板１４とから構成されている。そして、この装飾板（文字板）１４の表面には時字１５が印刷もしくは接着により形成してある。
【００２４】
前記ソーラーセル１１は、従来例の図８に示すものと同様に、平面視で扇形状をしており、このソーラーセル１１を４枚絶縁帯を挟んで配置される。また、前記透明基板１２は、透明なポリカーボネートもしくはアクリル樹脂の透明板である。
【００２５】
装飾板１４としては、ソーラー時計を用いるにあたっては、太陽電池の発電を妨げないようにするべく光の透過性が高いものが良い。さらには、高級感のある色調を有するものが望まれる。よって、装飾板１４としては、天然貝、例えば白蝶貝、あわびや、貴石、例えば、光が透過しやすいセラミックス、カルセドニー、水晶などを薄板状に加工（スライス加工）したものが用いられる。
【００２６】
装飾板１４として白蝶貝、あわびをスライス加工したものを用いるにあたって、生地厚ｔ＝０．１ｍｍ、０．２ｍｍ、０．３ｍｍの３種類に白蝶貝、あわびをスライス加工して、その各々の光透過率を測定した。その結果を【表１】に示す。この光透過率の測定結果、光透過率を５０％以上確保するには生地厚ｔを０．１ｍｍ以下にすることが好ましいことが確認できた。
【表１】
0003673312.tif 000002
【００２７】
光透過率は、一般に太陽電池時計用文字板を透過した光により太陽電池が発電した発電量により求められる。すなわち、外光が入らないようにした装置内で、光源から一定の距離に置かれた太陽電池に光を当て、光エネルギーから電気エネルギーに変換したときの電流値をＡｏとし、前記太陽電池の上に太陽電池時計用文字板を載せ、上記と同様にして測定した電流値をＡ1 としてＡ1 をＡｏに対する百分率として表される。そして、ソーラー時計用表示板構造Ａにおける光透過率は５０％以上であれば通常の手首への携帯においては、何ら支障なく発電できることが確認されている。
【００２８】
したがって、装飾板１４に、生地厚ｔを０．１ｍｍにした白蝶貝及びあわびを薄板状にしたものを用いた場合の光透過率が５０％以上であることから、装飾板１４に、生地厚ｔを０．１ｍｍ以下にした白蝶貝及びあわびを薄板状にしたものを用いてもよいことが確認できる。
【００２９】
このように装飾板１４として、生地厚ｔを０．１ｍｍ以下にした白蝶貝及びあわびを薄板状にしたものが用いられるが、この装飾板１４は光を一部透過するために、茶褐色または暗青色のソーラーセル１１及び絶縁帯の十字線を完全に隠すことができない。そのために、装飾板１４を透明基板１２の表側に接着する接着層１３に、茶褐色または暗青色のソーラーセル１１及び絶縁帯の十字線を隠す機能が付与されている。すなわち、接着層１３には光拡散剤が混入してあって、この光拡散剤が入射光を拡散して茶褐色または暗青色のソーラーセル１１及び絶縁帯の十字線を隠すことになる。
【００３０】
接着層１３は、液体の接着剤に光拡散剤を混入してスクリーン印刷法などの印刷、塗装によって装飾板１４に裏面に形成される。そして、この接着層１３に厚さは、厚くなるほど光を透過しなくなるために０．０１５ｍｍ程度が好ましい。この程度の厚さでは、装飾板１４及び透明基板１２と共に、ソーラー時計用表示板構造Ａにおける光透過率を５０％以上に確保することができるし、透明基板１２に装飾板１４を接着固定することが可能である。また、光拡散剤としては、高純度の炭酸カルシウム又は燐酸カルシウムに３〜５種類の添加物を加えた結晶構造をもつものが使用される。
【００３１】
次に、上記のように構成されたソーラー時計用表示板構造Ａの作用を説明する。従来の技術で述べたように、ソーラーセル１１が通常茶褐色または暗青色であるため、表示板が茶褐色または暗青色になり、また、ソーラーセル１１とソーラーセル１１との間に絶縁帯があるために、この絶縁帯が十字線として現れるが、接着層１３には光拡散剤が混入してあるために、図４に示すように、この光拡散剤が光をランダムに拡散（散乱）する。詳しくは、入射光イの一部は、装飾板１４の表面で反射され、観察者の目に達して装飾板１４を観察者に視認させる。入射光イの残りは、装飾板１４を透過し、接着層１３に達する。接着層１３に達した入射光イの一部は、光拡散剤によってランダムに拡散（散乱）され、残りは透明基板１２を透過してソーラーセル１１に達する。ソーラーセル１１に達した入射光イの一部は、表面に向かって反射され、残りはソーラーセル１１の発電に寄与する。ソーラーセル１１によって反射された反射光ロが、そのままに観察者の目に達すると、観察者にソーラーセル１１が視認されてしまうが、反射光ロは、透明基板１２を透過して接着層１３に達すると、光拡散剤によってランダムに拡散（散乱）される。よって、観察者の目に達する反射光ロは、ごく僅かに限られ、観察者がソーラーセル１１を視認することはない。
【００３２】
したがって、茶褐色または暗青色のソーラーセル１１及び絶縁帯の十字線が透けて見えず、また、装飾板１４によって、天然貝（白蝶貝、あわび）及び貴石の高級感のある模様、色調を含めたデザインバリエーションが大幅に拡大されるばかりか、装美感あふれる外観となって商品性の良いものになる。
【００３３】
（第２実施例）
図５は本発明に係わるソーラー時計用表示板構造（第２実施例）の縦断面図、図６は同ソーラー時計用表示板構造における透明基板の一部省略した断面図、図７は同ソーラー時計用表示板構造における入、出射光の説明図である。
【００３４】
この第２実施例におけるソーラー時計用表示板構造Ａにおいては、透明基板１２として、その表面が、ランダムな微小な凹凸１６を多数形成した拡散面１７になされ、その裏側が、拡散面１７の凹凸１６より大きい凹凸で模様を形成した装飾面１８になされ且つこの装飾面１８に金属蒸着層１９が形成された透明基板が用いられており、前記モジュール４の表側には、ソーラーセル１１が載置され、さらにソーラーセル１１の表面に、前記拡散面１７を表側に向けて透明基板１２が載置されている。そして、拡散面１７にはその表側に第１の実施の形態と同様に、時字１５が印刷もしくは接着により設けてある。
【００３５】
前記透明基板１２は射出成形加工により成形されるものであり、成形型には、拡散面１７のランダムな微小な凹凸１６を形成する凹凸型部及び装飾面１８の模様の凹凸を形成する模様型部が予め設けてあるために、透明基板１２が射出成形加工により成形される際に、その表面に拡散面１７が、その裏側に装飾面１８がそれぞれ形成される。そして、この装飾面１８は、例えばピアジカット、旭光などの模様で形成される。
【００３６】
また、金属蒸着層１９は、Ａｕ、Ｃｒ、Ａｌ、Ｐｔ、Ｎｉ、Ａｇ、Ｒｄなどの金属を蒸着して形成した、極めて薄い有色薄膜である。様々な種類の金属を蒸着層することによって、種々の色調を有する薄膜が得られることは公知である。金属蒸着膜１９も、公知の製法に従って、種々の色調を有する薄膜として形成される。金属蒸着層１９は、１種の金属を蒸着した単層膜であっても、多種の金属を蒸着した多層膜であっても良い。金属蒸着層１９を単層膜とするか、多層膜とするかは、どのような色調を金属蒸着層１９に付与するかによって、適宜選択される。
【００３７】
ただし、金属蒸着層１９の色調には、透明基板１２に入射される入射光を、吸収しやすい色調は好ましくない。なぜならば、ソーラーセル１１に達する光の量が減少し、ソーラーセル１１の発電が低下するためである。
また、金属蒸着層１９の厚さは、厚ければ厚いほど、金属色が強調されて、ソーラー時計用表示板構造Ａの見栄えに金属感を付与することができるが、厚すぎると、金属蒸着層１９を透過してソーラーセル１１に達する光の量が減少し、発電が低下してしまう。金属蒸着層１９の厚さは、好ましくは、５００〜５０００Å、さらに好ましくは、１５００〜３５００Å、最も好ましくは、２０００〜３０００Åである。
第２実施例では、金属蒸着層１９に、えんじ色、青色、緑色、及び黄色の有色薄膜を、１５００〜３５００Åの厚さに形成した。光透過率は、えんじ色では７５〜７４％、青色では６６〜６７％、緑色では６５〜６６％、黄色では６６〜６８％であった。厚さを、５００Åまで薄くすると、さらに光透過率は上昇し、かつソーラー時計用表示板構造Ａの外観も金属色を保持し得た。５０００Åまで厚くすると、ソーラー時計用表示板構造Ａの外観は、さらに強調された金属色を有し、かつ光透過率も５０％を越えることができた。２０００〜３０００Åの範囲において、光透過率とソーラー時計用表示板構造Ａの外観の金属色双方を、最もバランス良く保持し得た。
【００３８】
上記のように構成された第２実施例におけるソーラー時計用表示板構造Ａの作用を説明する。
【００３９】
図７に示すように、入射光ハの一部は、拡散面１７によって拡散（散乱）されるが、残りの大部分は、透明基板１２を透過し、有色の金属蒸着層１９に達する。金属蒸着層１９に達した入射光ハのうち、この金属蒸着層１９の色と異なる系統の色の波長の入射光ハは、金属蒸着層１９に吸収される。金属蒸着層１９の色と同系統の色の波長の入射光ハの一部は、金属蒸着層１９を透過してソーラーセル１１に達し、残りは表面に向かって反射される。金属蒸着層１９によって反射された反射光ニは、指向性があり不均一であるが、拡散面１７により、均一に拡散されて、観察者の目に達する。よって観察者には、透明板１２の表面全体が、一様に金属蒸着層１９の色、すなわち金属色に視認される。同時に、有色の金属蒸着層１９は、透明基板１２の裏面に設けられた装飾面１８に形成されているため、観察者には、金属蒸着層１９の金属色を有する装飾面１８が視認されることとなる。すなわち、観察者には、えんじ色、青色、緑色、あるいは黄色を有するピアジカット、旭光等の模様が視認される。
【００４０】
ソーラーセル１１に達した入射光ハは、ソーラーセル１１の発電に寄与するが、その一部は、ソーラーセル１１によって反射される。ソーラーセル１１によって反射された反射光ホが、そのままに観察者の目に達すると、観察者にソーラーセル１１が視認されてしまう。しかしながら、反射光ホの一部は、まず金属蒸着層１９によって反射され、金属蒸着層１９を透過した残りに反射光ホも、拡散面１７によって拡散（散乱）されるので、観察者の目に達するホは、ごく僅かに限られ、観察者がソーラーセル１１を視認することはない。
【００４１】
このために、茶褐色、または暗青色のソーラーセル１１及び絶縁帯の十字線が透けて見えず、また、装飾面１８によって高級感のある模様、色調を含めたデザインバリエーションが大幅に拡大されるばかりか、装美感あふれる外観となって商品性の良いものになる。
【００４２】
（第３実施例）
第３実施例におけるソーラー時計用表示板構造Ａは、第２実施例におけるソーラー時計用表示板構造Ａの透明基板１２を有色にした構成である。すなわち、透明なポリカーボネートもしくはアクリル樹脂を原材料として透明基板１２を成形する際に、原材料に種々の顔料、または染料を混入することにより、この透明基板１２を有色にしたものである。
【００４３】
第３実施例では、図８に示すように、白色顔料を混入した白色透明基板２０と、青色の金属蒸着層２１を用いる。白色透明基板２０に混入された白色顔料が、ソーラーセル１１によって反射された反射光を拡散（散乱）するので、ソーラーセル１１がさらに視認されにくくなった。また、金属蒸着層２１の青色と、白色透明基板２０の白色が混ざり合い、柔らかな色合いを有する青色の金属色が視認された。
【００４４】
このように、透明基板１２に有色にすることにより、この透明基板１２に混入された顔料が、この透明基板１２に入射した光を拡散させるために、茶褐色または暗青色のソーラーセル１１及び絶縁帯の十字線をより見えないようにすることができ、また、装飾面１８によって高級感のある模様、色調を含めたデザインバリエーションが大幅に拡大されるばかりか、装美感あふれる外観となって商品性の良いものになる。
【００４５】
なお、第１実施例におけるソーラー時計用表示板構造Ａの透明基板１２を、上記したように有色にすることも可能である。
【００４６】
【発明の効果】
以上説明したように、本発明によれば、ソーラーセルの表側に設けられたソーラー時計用表示板構造において、光が透過する透明基板と、この透明基板の表側に接着層を介して設けられて光が透過する装飾板とを備え、前記接着層に光拡散剤を混入したことにより、接着層に  よって透明基板の表側に装飾板を固定できると共に、接着層には光拡散剤が混入してあるために、この光拡散剤が入射光を拡散して茶褐色または暗青色のソーラーセル及び絶縁帯の十字線が透けて見えず、また、装飾板によって、高級感のある模様、色調を含めたデザインバリエーションが大幅に拡大されるばかりか、装美感あふれる外観となって商品性の良いものになる。
【００４７】
また、本発明によれば、前記装飾板を、天然貝、貴石のいずれかを薄板状に加工して形成したことにより、上記の効果と同様な効果を奏し得るばかりか、前記装飾板が天然貝、貴石であることにより、天然貝、貴石の独特な高級感のある模様、色調を含めたデザインバリエーションを得ることができて、装美感あふれる外観となって商品性の良いものになる。
【００４８】
また、本発明によれば、ソーラーセルの表側に設けられたソーラー時計用表示板構造において、光が透過する透明基板の表面に拡散面を設けると共に、この透明基板の裏側に装飾面を設け、この装飾面に有色の金属蒸着層を形成したことにより、透明基板に入射し、透明基板の裏面に形成された有色の金属蒸着層に達した光のうち、この金属蒸着層の色と異なる系統の色の波長の光は、金属蒸着層に吸収される。金属蒸着層の色と同系統の色の波長の光の一部は、金属蒸着層を透過してソーラーセルに達し、ソーラーセルの発電に寄与され、残りは表面に向かって反射される。これは、金属蒸着層が極めて薄い薄膜であるため、一部の光を透過し、残りを反射する作用を成すためである。
【００４９】
金属蒸着層によって反射された光は、指向性があり不均一であるが、透明基板の表面に形成された拡散面により、均一に拡散されて、観察者の目に達する。よって観察者には、透明基板の表面全体が、一様に金属蒸着層の色、すなわち金属色に視認される。同時に、有色の金属蒸着層は、透明基板の裏面に設けられた装飾面に形成されているため、観察者には、透明基板を透して装飾面が視認されることとなる。このために、茶褐色または暗青色のソーラーセル及び絶縁帯の十字線が透けて見えず、また、装飾面によって高級感のある模様、色調を含めたデザインバリエーションが大幅に拡大されるばかりか、装美感あふれる外観となって商品性の良いものになる。
【００５０】
また、本発明によれば、前記透明基板の前記拡散面が、ランダムな微小な凹凸から成り、前記装飾面が、前記拡散面の凹凸より大きい凹凸の模様から成ることにより、上記の発明の作用と同様な作用を奏し得る。さらに、装飾面に形成れた有色の金属蒸着層によって反射された光は、ランダムな微小な凹凸からなる拡散面によってランダムに拡散されるため、ともすると観察者には、装飾面がぼやけて視認しづらくなるが、装飾面を拡散面により大きい凹凸としたので、観察者には、透明基板を透して装飾面の凹凸模様が確実に視認される。
【００５１】
また、本発明によれば、前記透明基板に顔料を混入して有色にしたことにより、上記の発明と同様の効果を奏し得るばかりか、透明基板に混入された顔料が、この透明基板に入射した光を拡散させるために、茶褐色または暗青色のソーラーセル及び絶縁帯の十字線をより見えないようにすることができ、また、装飾板、装飾面によって高級感のある模様、色調を含めたデザインバリエーションが大幅に拡大されるばかりか、装美感あふれる外観となって商品性の良いものになる。
【図面の簡単な説明】
【図１】本発明に係わるソーラー時計用表示板構造（第１実施例）を備えた腕時計の縦断面図である。
【図２】本発明に係わるソーラー時計用表示板構造（第１実施例）の構成説明図である。
【図３】同ソーラー時計用表示板構造の平面図である。
【図４】同ソーラー時計用表示板構造における入、出射光の説明図である。
【図５】本発明に係わるソーラー時計用表示板構造（第２実施例）の縦断面図である。
【図６】同ソーラー時計用表示板構造における透明基板の一部省略した断面図である。
【図７】同ソーラー時計用表示板構造における入、出射光の説明図である。
【図８】本発明に係わるソーラー時計用表示板構造（第３実施例）の縦断面図である。
【図９】従来のソーラー時計用表示板構造を備えた腕時計の平面図である。
【図１０】従来のソーラー時計用表示板構造の構成説明図である。
【符号の説明】
１１  ソーラーセル
１２  透明基板
１３  接着層
１４  装飾板
Ａ  ソーラー時計用表示板構造
【図１】
0003673312.tif 000003
【図２】
0003673312.tif 000004
【図３】
0003673312.tif 000005
【図４】
0003673312.tif 000006
【図５】
0003673312.tif 000007
【図６】
0003673312.tif 000008
【図７】
0003673312.tif 000009
【図８】
0003673312.tif 000010
【図９】
0003673312.tif 000011
【図１０】
0003673312.tif 000012